(57)【要約】【課題】外部配線を少なくして小型化を図りつつノイズの輻射を低減できるＬＤ駆動回路を提供すること。【解決手段】ＬＤドライバ回路６から出力される半導体レーザダイオード１の駆動電流を、駆動電流検出回路５にて検出し、この検出結果に基づいて、重畳制御回路４にて高周波重畳回路２の発振または停止を制御する。【選択図】  図１
2004356495.tif 000002
【特許請求の範囲】
【請求項１】
半導体レーザダイオードと、
この半導体レーザダイオードの駆動電流を出力するＬＤドライバ回路と、
この駆動電流を検出する駆動電流検出回路と、
上記駆動電流へ高周波電流を重畳する高周波重畳回路と、
上記駆動電流検出回路の検出結果に基づいて上記高周波重畳回路の発振または停止を制御する重畳制御回路と
を備えることを特徴とするＬＤ駆動回路。
【請求項２】
請求項１に記載のＬＤ駆動回路において、
上記重畳制御回路は、
上記駆動電流検出回路の検出結果のピーク値を検出するピークホールド回路と、
所定の基準電位を発生する基準電位発生回路と、
この基準電位発生回路の基準電位と上記ピークホールド回路の検出結果とを比較するコンパレータと
を有し、
このコンパレータは、上記ピークホールド回路の検出結果が上記基準電位より小さいときに上記高周波重畳回路を発振させ、上記ピークホールド回路の検出結果が上記基準電位以上のときに上記高周波重畳回路を停止させることを特徴とするＬＤ駆動回路。
【請求項３】
請求項１に記載のＬＤ駆動回路において、
上記駆動電流検出回路は、電流検出用抵抗と差動増幅器から構成され、この電流検出用抵抗は上記半導体レーザダイオードのダンピング抵抗を兼ねていることを特徴とするＬＤ駆動回路。
【請求項４】
請求項１に記載のＬＤ駆動回路において、
上記ＬＤドライバ回路と上記駆動電流検出回路との間に、スナバ回路を配置したことを特徴とするＬＤ駆動回路。
【請求項５】
請求項１に記載のＬＤ駆動回路を備えたことを特徴とする光ヘッド装置。
【請求項６】
請求項５に記載の光ヘッド装置を備えたことを特徴とする光学式情報処理装置。
【発明の詳細な説明】
【０００１】
【発明の属する技術分野】
この発明は、例えば、光ディスクや光カードあるいは光磁気ディスクなど、光媒体もしくは光磁気媒体上に情報の記録・再生・消去を行う光学式情報処理装置に関し、特にレーザ光を出射する光ヘッド装置とそれに用いられるＬＤ駆動回路に関する。
【０００２】
【従来の技術】
光ディスクや光カードあるいは光磁気ディスクなどの光媒体もしくは光磁気媒体上に情報の記録・再生・消去を行う光学式情報処理装置は、記録媒体の高密度化・大容量化あるいは記録・再生などの処理速度の向上により種々の応用が拡大しつつある。
【０００３】
このような光学式情報処理装置においては、微小に集光された光ビームにより情報の記録・再生・消去を行っている。そのため、光ビームの品質は光学式情報処理装置の信頼性を左右する要素となっている。光ビームの品質としては媒体上に集光されたビーム形状や、反射光に含まれるノイズ成分の量（Ｃ／Ｎ比）などが重要である。これらビーム品質の内、反射光に含まれるノイズ成分に関しては、半導体レーザダイオード（以下、ＬＤという）の性質によって、その対処方法が提案されている。
【０００４】
ＬＤには、大別してシングルモードとマルチモードの２種類が存在する。シングルモードのＬＤでは、発光波長が戻り光などの影響により離散的に変化すると言う現象（モードホップ現象）を有する。この現象に伴う光量変化はノイズとして記録再生信号に含まれる。また、戻り光による影響を受けやすいＬＤでは、戻り光によりレーザ発振そのものが影響を受けて不安定となり、出力の大きな変動となることもある。そのため、このままでは、記録・再生動作も不安定となり信号品質の低下を招く。一方、マルチモードのＬＤでは、発光波長が複数存在することから戻り光の影響を受けにくくモードホップ現象によるノイズの発生も少ないと言う特性を有する。
【０００５】
光学式情報処理装置の光ヘッド装置に搭載するＬＤとしては、マルチモードＬＤが優れているが、波長や構造によってはマルチモードのＬＤを構成することが困難となり、シングルモードでしか構成できない場合もある。また、マルチモードＬＤも高温などの使用環境の状況によっては動作が不安定となり、一時的にシングルモードになってしまうこともある。
【０００６】
一般に、シングルモードＬＤに対しては高周波重畳をかけることによってマルチモードとして使う方法がとられている。具体的には、ＬＤの駆動電流（以下、ＬＤ駆動電流という）が高周波重畳回路を通るときに、高周波重畳回路から数百ＭＨｚの周波数の交流成分をＬＤ駆動電流に注入し、ＬＤをマルチモードとして動作させることで戻り光の影響を抑えている。
【０００７】
ところが、特に記録動作を行う光学式情報処理装置においては、記録動作中に高周波重畳回路からの交流成分注入を停止させる場合がある。例えば、記録動作時に流れるＬＤ駆動電流がＬＤ動作電流の絶対最大定格付近にあるような場合である。一般に、情報記録媒体への記録動作時はＬＤの出射パワーとして高出力を要求される。そして高出力を得るためにＬＤ駆動電流をＬＤ動作電流の絶対最大定格付近まで流すことがある。そのような状況で、高周波重畳回路からの交流成分をさらに注入すると、ＬＤ自体が破損する可能性を有する。また、高速記録においては、記録動作時のＬＤ出射パワーの立ち上り時間がピット形成の重要な要因となり、再生信号品質ひいては光学式情報処理装置の信頼性へ影響を及ぼすことになる。このような場合、ＬＤ出射パワーの立ち上り時間に対する要求を実現するために、高周波重畳回路からの交流成分注入を停止することがある。
【０００８】
そこで、従来のＬＤ駆動回路は、図６に示すように、光ヘッド装置の外部にあるシステムコントロール回路６８から制御用配線６４を介して高周波重畳回路６２を発振または停止させていた（特開平８−２４１５４５号公報：特許文献１参照）。
【０００９】
具体的に述べると、データ生成回路６７からの情報信号７５をＬＤドライバ回路６６によりＬＤ駆動電流７１に変換してＬＤ６１に供給している。また、高周波重畳回路６２の出力である高周波重畳の電流成分はコンデンサ６３を介してＬＤドライバ回路６６に供給されＬＤ駆動電流７１に重畳されている。この高周波重畳回路６２の発振または停止は、システムコントロール回路６８から制御用配線６４を介して発振／停止制御信号７７により制御されている。
【００１０】
【特許文献１】
特開平８−２４１５４５号公報（図１）
【００１１】
【発明が解決しようとする課題】
しかしながら、上記従来のＬＤ駆動回路では、光ヘッド装置の外部のシステムコントロール回路６８から制御用配線６４を介して高周波重畳回路６２を制御していたため、以下の問題がでできた。すなわち、光学式情報処理装置あるいは光ヘッド装置において、薄くかつ小さく実現することへの要請がますます強くなってきており、この要請を実現するために、光ヘッド装置上の配線をできるだけ少なくする必要がでてきた。また、記録再生速度の高速化、記録密度の高密度化を実現するために、高周波重畳回路６２をマーク単位で正確に発振または停止の制御をする必要が生じ、このため、高周波重畳回路６２の発振／停止制御信号７７には、マーク単位の周波数が要求され、記録再生速度の高速化に伴いますます高速となり周囲にノイズを輻射するまでになってきた。
【００１２】
そこで、この発明の課題は、外部配線を少なくして小型化を図りつつノイズの輻射を低減できるＬＤ駆動回路、光ヘッド装置および光学式情報処理装置を提供することにある。
【００１３】
【課題を解決するための手段】
上記課題を解決するため、本発明のＬＤ駆動回路は、半導体レーザダイオードと、この半導体レーザダイオードの駆動電流を出力するＬＤドライバ回路と、この駆動電流を検出する駆動電流検出回路と、上記駆動電流へ高周波電流を重畳する高周波重畳回路と、上記駆動電流検出回路の検出結果に基づいて上記高周波重畳回路の発振または停止を制御する重畳制御回路とを備えることを特徴としている。
【００１４】
本発明のＬＤ駆動回路によれば、ＬＤドライバ回路から出力される半導体レーザダイオードの駆動電流を駆動電流検出回路にて検出し、この検出結果に基づいて重畳制御回路にて高周波重畳回路の発振または停止を制御しているため、従来必要であった高周波重畳回路の発振または停止を制御する制御用配線が不要となり、このＬＤ駆動回路を用いた光ヘッド装置の小型化に寄与できる。また、従来の高周波重畳回路の制御はマーク長単位で実施されており、光ヘッド装置上の制御用配線によってはノイズ成分の発生に関与していたが、本発明の構成では、この制御用配線が不要となるため、ノイズ成分の低減が期待できる。
【００１５】
言い換えると、本発明のＬＤ駆動回路では、光ヘッド装置内で、自己的に、高周波重畳回路の発振または停止を制御するための発振／停止制御信号を発生し、それに基づき高周波重畳回路の発振あるいは停止の制御を行う構成としているため、従来のように外部から制御信号を入力する必要がなく、光ヘッド装置上の配線を少なくすることができる。また、高速な信号を伝送する配線が少なくなることによりノイズの輻射を低減できる。
【００１６】
もちろん、記録動作中に高周波重畳回路からの交流成分注入を停止させることができる。その結果、半導体レーザダイオード自体の破損を防止できる。また、高速記録において、半導体レーザダイオードの出射パワーの立ち上り時間を短くして、良好なピットを形成でき、再生信号品質の信頼性を向上させることができる。
【００１７】
また、一実施形態のＬＤ駆動回路では、上記重畳制御回路は、上記駆動電流検出回路の検出結果のピーク値を検出するピークホールド回路と、所定の基準電位を発生する基準電位発生回路と、この基準電位発生回路の基準電位と上記ピークホールド回路の検出結果とを比較するコンパレータとを有し、
このコンパレータは、上記ピークホールド回路の検出結果が上記基準電位より小さいときに上記高周波重畳回路を発振させ、上記ピークホールド回路の検出結果が上記基準電位以上のときに上記高周波重畳回路を停止させている。
【００１８】
この一実施形態のＬＤ駆動回路によれば、重畳制御回路にピークホールド回路を内蔵しているため、くし型状のＬＤ駆動波形に対して、記録中に、高周波重畳回路を停止できる。
【００１９】
なお、この基準電位発生回路は、例えばシリアル入力を備えたＤＡＣ（Ｄｉｇｉｔａｌ  ｔｏ  Ａｎａｌｏｇ  Ｃｏｎｖｅｒｔｅｒ）などの外部から基準電位を設定・変更できるものであるのが好ましく、外部から基準電位発生回路の出力を可変することにより、媒体の種類、記録速度によって高周波重畳回路の発振または停止を制御するタイミングを制御すること可能となり、情報信号の信頼性向上が期待できる。
【００２０】
また、一実施形態のＬＤ駆動回路では、上記駆動電流検出回路は、電流検出用抵抗と差動増幅器から構成され、この電流検出用抵抗は上記半導体レーザダイオードのダンピング抵抗を兼ねている。
【００２１】
この一実施形態のＬＤ駆動回路によれば、電流検出用抵抗は半導体レーザダイオードのダンピング抵抗を兼ねているため、光ヘッド装置上のＬＤドライバ回路や半導体レーザダイオードとの配置や結線経路によって生じる半導体レーザダイオードの駆動電流の過渡現象に対して、ダンピング効果を発揮でき、しかも、部品点数を増やすことなく情報記録の信頼性向上が期待できる。
【００２２】
また、一実施形態のＬＤ駆動回路では、上記ＬＤドライバ回路と上記駆動電流検出回路との間に、スナバ回路を配置している。
【００２３】
この一実施形態のＬＤ駆動回路によれば、スナバ回路により、半導体レーザダイオードの駆動電流の過渡現象に対応できる。具体的には、その過渡状態で発生する高いスパイク電圧を防止できる。言い換えると、ＬＤドライバ回路の出力直後にスナバ回路を設置し、スナバ回路の下流側に駆動電流検出回路を配置することで、スナバ回路の効果が大きくなり、情報記録の信頼性向上が期待できる。
【００２４】
また、本発明の光ヘッド装置は、上記発明のＬＤ駆動回路を備えたことを特徴としている。
【００２５】
本発明の光ヘッド装置によれば、上記発明のＬＤ駆動回路による作用効果と同様の作用効果を奏することができる。すなわち、ノイズ成分を低減でき、小型化を図ることができる。
【００２６】
また、本発明の光学式情報処理装置は、上記発明の光ヘッド装置を備えたことを特徴としている。
【００２７】
本発明の光学式情報処理装置によれば、上記発明の光ヘッド装置による作用効果と同様の作用効果を奏することができる。すなわち、ノイズ成分を低減でき、小型化を図ることができる。
【００２８】
【発明の実施の形態】
以下、この発明を図示の実施の形態により詳細に説明する。
【００２９】
（第１の実施形態）
図１は、本発明のＬＤ駆動回路の一実施形態であるブロック図を示している。このＬＤ駆動回路は、データ生成回路７と、半導体レーザダイオード（以下、ＬＤという）１と、このＬＤ１の駆動電流（以下、ＬＤ駆動電流という）を出力するＬＤドライバ回路６と、このＬＤ駆動電流を検出する駆動電流検出回路５と、上記ＬＤ駆動電流へ高周波電流を重畳する高周波重畳回路２と、上記駆動電流検出回路５の検出結果に基づいて上記高周波重畳回路２の発振または停止を制御する重畳制御回路４とを備える。なお、このＬＤ駆動回路は、例えば、光学式情報処理装置の光ヘッド装置に用いられる。
【００３０】
上記データ生成回路７は、光学式情報処理装置内に存在し、データ生成回路７からの情報信号１５に基づき、上記ＬＤドライバ回路６にてＬＤ駆動電流１４が生成される。なお、ＬＤドライバ回路６の構成は公知のものでよく、その説明を省略する。
【００３１】
ＬＤドライバ回路６から出力されるＬＤ駆動電流１４は、上記駆動電流検出回路５によりその電流量が検出された後に、ＬＤ１のアノード端子へ入力される。
【００３２】
上記駆動電流検出回路５は、ＬＤ駆動電流１４を検出して、その電流量に対応する電圧値を、検出結果信号１３として上記重畳制御回路４へ出力する。この重畳制御回路４は、駆動電流検出回路５の出力に基づいて、上記高周波重畳回路２の発振または停止を制御する制御信号１２を出力する。
【００３３】
この高周波重畳回路２は、重畳制御回路４からの制御信号１２に従って発振または停止動作を行い、発振時には、駆動電流検出回路５を通過したＬＤ駆動電流１１に対して、コンデンサ３を介して、高周波重畳波形を印加する。
【００３４】
具体的には、重畳制御回路２は、駆動電流検出回路５の検出結果が所定値より小さいときに高周波重畳回路２を発振させ、駆動電流検出回路５の検出結果が所定値以上のときに高周波重畳回路２を停止させる。
【００３５】
次に、図２は、本発明のＬＤ駆動回路の回路図を示し、以下に、本発明のＬＤ駆動回路をさらに詳細に説明する。
【００３６】
駆動電流検出回路５は、ＬＤドライバ回路６とＬＤ１との間に挿入された電流検出用抵抗５１（抵抗値Ｒ）と、この抵抗５１の両端の電圧値を検出する２つのバッファ５２，５３と、これら２つのバッファ５２，５３とそれぞれの出力を差動する差動演算回路５４から構成されている。この２つのバッファ５２，５３と差動演算回路５４にて差動増幅器５５を構成している。
【００３７】
ＬＤドライバ回路６から出力されたＬＤ駆動電流１４（電流値ＩＬＤ）は、抵抗５１を流れて電圧降下（電圧降下値Ｖｘ）を生じる。このとき、Ｖｘ  ＝ＩＬＤ  ×Ｒが成り立つ。すなわち、電圧降下値ＶｘはＬＤ駆動電流１４の値と抵抗５１の値に比例する。ここで、抵抗５１の値を一定値とすると、電圧降下値ＶｘはＬＤ駆動電流１４の値に比例するため、電圧降下値ＶｘはＬＤ駆動電流１４の検出結果を示すことになる。
【００３８】
そして、この電圧降下値Ｖｘを取り出すために、２つのバッファ５２，５３と差動演算回路５４を使用する。具体的には、ＬＤ発光時に、抵抗５１のＬＤ側端子に、ＬＤ駆動電圧（電圧値Ｖｏｐ）が発生している。従って、下流側のバッファ５３の出力値はＶｏｐである。また、上流側のバッファ５２の出力は、下流側のバッファ５３の出力（Ｖｏｐ）よりも抵抗５１による電圧降下（Ｖｘ）だけ大きい電位となるため、バッファ５２の出力値は（Ｖｏｐ＋Ｖｘ）である。これら２つのバッファ５２，５３の出力を差動演算することにより、抵抗５１での電圧降下成分（Ｖｘ）を抽出することができる。
【００３９】
上記電流検出用抵抗５１は、ＬＤドライバ回路６とＬＤ１との間に挿入された抵抗であり、ＬＤ駆動電流１４の過渡現象に対してダンピングとして作用する。すなわち、この抵抗５１はＬＤ１のダンピング抵抗を兼ねている。なお、この抵抗５１の抵抗値Ｒは，光ヘッド装置上のＬＤドライバ回路６やＬＤ１との配置や結線経路に応じて最適な値に設定されている。
【００４０】
また、光ヘッド装置上のＬＤドライバ回路６やＬＤ１との配置や結線経路によって生じるＬＤ駆動電流１４の過渡現象への対策として、ＬＤドライバ回路６と駆動電流検出回路５との間に、スナバ回路９を配置している。このスナバ回路９は、抵抗とコンデンサとの直列回路によって構成されている。このように、スナバ回路９がＬＤドライバ回路６の出力に近接して設置されているため、ＬＤ駆動電流１４の過渡現象を抑制する効果が大きくなる。言い換えると、駆動電流検出回路５の抵抗５１は、スナバ回路９とＬＤ１との間に配置することが望ましい。
【００４１】
重畳制御回路４は、駆動電流検出回路５の検出結果のピーク値を検出するピークホールド回路４１と、所定の基準電位を発生する基準電位発生回路４６と、この基準電位発生回路４６の基準電位と上記ピークホールド回路４１の検出結果とを比較するコンパレータ４５とを有している。
【００４２】
具体的には、駆動電流検出回路５の出力（電圧降下値Ｖｘ）をピークホールド回路４１に入力し、ピークホールド回路４１の出力をコンパレータ４５のプラス端子へ入力する。コンパレータ４５のマイナス端子には、外部より設定された基準電位発生回路４６の出力（基準電位値Ｖｔｈ）が入力される。ここで、基準電位発生回路４６としてシリアル入力を備えたＤＡＣ（Ｄｉｇｉｔａｌ  ｔｏ  Ａｎａｌｏｇ  Ｃｏｎｖｅｒｔｅｒ）などがある。
【００４３】
ピークホールド回路４１は、抵抗４３、コンデンサ４４、および、ダイオード４２から構成されている。このピークホールド回路４１は、駆動電流検出回路５の出力（電圧降下値Ｖｘ）のパルス状の立ち上りに対して追従してその出力のピークを検出し、駆動電流検出回路５の出力（電圧降下値Ｖｘ）のパルス状の立ち下りに対してＲＣの時定数で放電する。
【００４４】
また、ピークホールド回路４１の出力は、コンパレータ４５によって、基準電位発生回路４６の出力（基準電位値Ｖｔｈ）と比較される。すなわち、このコンパレータ４５は、ピークホールド回路４１の出力が基準電位発生回路４６の出力（基準電位値Ｖｔｈ）以上のときにＨレベルを出力し、ピークホールド回路４１の出力が基準電位発生回路４６の出力（基準電位値Ｖｔｈ）よりも小さいときにＬレベルを出力する。そして、高周波重畳回路２は、重畳制御回路４からの制御信号１２がＨレベルのときに停止し、Ｌレベルのときに発振するように構成されている。要するに、このコンパレータ４５の出力が、重畳制御回路４の出力として、高周波重畳回路２の発振または停止を制御している。
【００４５】
次に、図３は、光学式情報処理装置としてのＤＶＤ−Ｒディスクに情報を記録する際の波形図を示す。図３（ａ）は、駆動電流検出回路５の出力（電圧降下値Ｖｘ）の経時変化を示し、図３（ｂ）は、ピークホールド回路４１の出力（出力値Ｖｐ）と基準電位発生回路４６の出力（基準電位値Ｖｔｈ）との経時変化を示し、図３（ｃ）は、重畳制御回路４内のコンパレータ４５の出力、すなわち高周波重畳回路２の制御信号１２を示す。図３から判るように、ピークホールド回路４１は、くし型状の電圧降下値Ｖｘに対して、確実にピーク値（出力値Ｖｐ）を検出している。そして、この出力値Ｖｐが、基準電位値Ｖｔｈより小さいときに、高周波重畳回路２を発振させ、この出力値Ｖｐが、基準電位値Ｖｔｈ以上のときに、高周波重畳回路２を停止させている。
【００４６】
次に、図４は、光学式情報処理装置としてのＤＶＤ−ＲＷディスクに情報を記録する際の波形図を示す。図４（ａ）は、駆動電流検出回路５の出力（電圧降下値Ｖｘ）の経時変化を示し、図４（ｂ）は、ピークホールド回路４１の出力（出力値Ｖｐ）と基準電位発生回路４６の出力（基準電位値Ｖｔｈ）との経時変化を示し、図４（ｃ）は、重畳制御回路４内のコンパレータ４５の出力、すなわち高周波重畳回路２の制御信号１２を示す。図４から判るように、ピークホールド回路４１は、くし型状の電圧降下値Ｖｘに対して、確実にピーク値（出力値Ｖｐ）を検出している。そして、この出力値Ｖｐが、基準電位値Ｖｔｈより小さいときに、高周波重畳回路２を発振させ、この出力値Ｖｐが、基準電位値Ｖｔｈ以上のときに、高周波重畳回路２を停止させている。
【００４７】
なお、図３（ａ）と図４（ａ）を比較すると、駆動電流検出回路５の出力（電圧降下値Ｖｘ）に差異がある。これは、情報を記録する媒体の種類により、ＬＤ駆動波形（すなわち、ライトストラテジ）が異なることに由来する。また、高速な記録を実施する場合には、ＬＤ出射パワーを標準速での記録パワーよりも高くする必要がある。したがって、高周波重畳回路２の制御信号１２を生成する際に、基準となる基準電位値Ｖｔｈは、媒体の種類、記録速度によって可変することが望ましい。このため、基準電位発生回路４６としてシリアル入力を備えたＤＡＣなどを使用する。
【００４８】
次に、図５は、電圧降下値Ｖｘの波形図が図４（ａ）の波形図と同じ場合における他の波形図を示す。図５（ａ）は、ピークホールド回路４１の出力（出力値Ｖｐ）と基準電位発生回路４６の出力（基準電位値Ｖｔｈ）との経時変化を示し、図５（ｂ）は、重畳制御回路４内のコンパレータ４５の出力、すなわち高周波重畳回路２の制御信号１２を示す。図５から判るように、図４と比較して、基準電位値Ｖｔｈを小さく設定することで、高周波重畳回路２を停止状態に設定することができる。
【００４９】
（第２の実施形態）
次に、図示省略するが、本発明の光ヘッド装置は、上記発明のＬＤ駆動回路を備えている。すなわち、この光ヘッド装置は、上記ＬＤ駆動回路以外は公知の構成であり、例えば、ビームスプリッタ、集光レンズ、光検出器等を備え、ＬＤの光を光ディスクに照射し、光ディスクからの反射光を光検出器にて検出するように構成されている。したがって、本発明の光ヘッド装置によれば、上記発明のＬＤ駆動回路を備えているため、ノイズ成分を低減でき、小型化を図ることができる。
【００５０】
（第３の実施形態）
次に、図示省略するが、本発明の光学式情報処理装置は、上記発明の光ヘッド装置を備えている。すなわち、この光学式情報処理装置は、上記光ヘッド装置（特に上記ＬＤ駆動回路）以外は公知の構成であり、例えば、光ディスクを回転させるモータ、このモータの回転を制御する制御部等を備え、光ヘッド装置にて、光ディスクの情報の読み出し、書き込み、または、消去を行なうように構成されている。したがって、本発明の光学式情報処理装置によれば、上記発明の光ヘッド装置を備えているため、ノイズ成分を低減でき、小型化を図ることができる。
【００５１】
【発明の効果】
以上より明らかなように、本発明のＬＤ駆動回路によれば、半導体レーザダイオードの駆動電流の検出に基づいて高周波重畳回路の発振または停止を制御しているため、外部から入力して高周波重畳回路を制御する必要がなく、従来必要であった高周波重畳回路の制御用配線を不要にできて、このＬＤ駆動回路を用いた装置の小型化に寄与でき、ノイズ成分を低減できる。
【００５２】
また、本発明の光ヘッド装置によれば、上記発明のＬＤ駆動回路を備えているため、ノイズ成分を低減でき、小型化を図ることができる。
【００５３】
また、本発明の光学式情報処理装置によれば、上記発明の光ヘッド装置を備えているため、ノイズ成分を低減でき、小型化を図ることができる。
【図面の簡単な説明】
【図１】本発明のＬＤ駆動回路の一実施形態を示すブロック図である。
【図２】ＬＤ駆動回路の回路図である。
【図３】波形図である。
【図４】他の波形図である。
【図５】別の波形図である。
【図６】従来のＬＤ駆動回路のブロック図である。
【符号の説明】
１    半導体レーザダイオード（ＬＤ）
２    高周波重畳回路
４    重畳制御回路
５    駆動電流検出回路
６    ＬＤドライバ回路
９    スナバ回路
４１  ピークホールド回路
４５  コンパレータ
４６  基準電位発生回路
５１  電流検出用抵抗
５５  差動増幅器
【図１】
2004356495.tif 000003
【図２】
2004356495.tif 000004
【図３】
2004356495.tif 000005
【図４】
2004356495.tif 000006
【図５】
2004356495.tif 000007
【図６】
2004356495.tif 000008